(57)【要約】【課題】従来のテンプレート定規の場合、テンプレート定規の図形が開穿された窓孔のうちの180度より大きく360度より小さい角を構成する部分にはペン先が当たらないため、はみ出してしまう。【解決手段】『Ｗ』の図形を描画するための２枚で一組のテンプレート定規は、『Ｗ』の図形を１つのテンプレート定規で描いた場合に、開穿される窓孔のうちの窓枠における180度より大きく360度より小さい角部分をなす窓枠の部分が、該一組のテンプレート定規の該各枚の窓孔のうちの窓枠における0度より大きく180度より小さい角部分をなす窓枠の部分により構成されていることにより、テンプレート定規１０１、テンプレート定規１０２の、各枚に分担されている。【選択図】図１
2020104511.tif 000002
【特許請求の範囲】
【請求項１】
所定の図形を描画するための２枚以上で一組のテンプレート定規であって、
前記所定の図形を１つのテンプレート定規で描いた場合に、開穿される窓孔のうちの窓枠における180度より大きく360度より小さい角部分をなす窓枠の部分が、前記一組のテンプレート定規の前記各枚の窓孔のうちの窓枠における0度より大きく180度より小さい角部分をなす窓枠の部分により構成されていることにより、前記各枚に分担されている、
ことを特徴とするテンプレート定規。
【請求項２】
前記所定の図形の一の線が、環状に閉じた他の線の内側に描画される場合に、前記一の線と前記他の線とを描画するための前記テンプレート定規が、前記各枚に分担されている、
ことを特徴とする請求項１に記載のテンプレート定規。
【請求項３】
前記所定の図形のうちの着色すべき範囲に対応する範囲に開穿された窓孔を有する、
ことを特徴とする請求項１又２に記載のテンプレート定規。
【請求項４】
前記所定の図形の描画すべき線、着色すべき色若しくはペンの種類がプリントされ、又は前記各枚の使用順がプリントされた、
ことを特徴とする請求項１〜３のいずれかに記載のテンプレート定規。
【請求項５】
請求項１〜４のいずれかに記載のテンプレート定規及びこれとともに用いるガイドからなるセットであって、
前記テンプレート定規の前記各枚の位置を、前記所定の図形を描画すべき描画面に対して、所定の位置に固定すべく、
前記テンプレート定規の隅の形状に沿う形状からなることを特徴とする、テンプレート定規及びこれとともに用いるガイドからなるセット。
【発明の詳細な説明】
【技術分野】
【０００１】
本発明は、所定の図形を描くことができるテンプレート定規に関するものである。
【背景技術】
【０００２】
円や三角形などの所定の図形を描くための文房具としてテンプレート定規が用いられている。
【０００３】
先行技術に、平面板に各種の絵を打ち抜き、筆記具に良い写筆できるようにするとともに、絵の紹介文字を記入した絵型定規があるが（特許文献１参照）、所定の図形を描画するための２枚以上のテンプレート定規については記載も示唆もされていない。
【０００４】
先行技術に、動的なものの形態を特徴づける部分の形状を模した複数の板状部材と、これら板状部材をその形状が特定する位置にベンダブルな線状部材を介して連結してなる絵描き定規があるが（特許文献２参照）、所定の図形の180度より大きく360度より小さい角部分を構成する各線を描画するためのテンプレート定規が、複数枚に分担されていることについては記載も示唆もされていない。
【０００５】
先行技術に、種々な形状の図引き窓孔を複数個開穿した複数枚の定規盤と、その定規盤の図引き窓孔組合わせて描くための絵を表した教則盤とからなり、前記定規盤にはそれを識別するための親記号を表示するとともに前記図引き窓孔の近傍に他の窓孔と識別するための子記号を表示し、また、前記教則盤の絵の各部に、それに対応する図引き窓孔を示すための、前記親記号と子記号との結合記号を表示したことを特徴とする描画セットがあるが（特許文献３参照）、所定の図形の180度より大きく360度より小さい角部分を構成する各線を描画するためのテンプレート定規が、複数枚に分担されていることについては記載も示唆もされていない。
【先行技術文献】
【特許文献】
【０００６】
【特許文献１】実開昭４７−０２０３３９号公報
【特許文献２】実開昭５６−０６９７６１号公報
【特許文献３】実開昭４８−１０１７６５号公報
【発明の概要】
【発明が解決しようとする課題】
【０００７】
解決しようとする問題点の第１は、テンプレート定規の図形が開穿された窓孔のうちの180度より大きく360度より小さい角を構成する部分にはペン先が当たらないため、はみ出してしまうことである。
【０００８】
解決しようとする問題点の第２は、二重丸のように、描くべき所定の図形の一の線が、環状に閉じた他の線の内側に描画される場合において、１枚のテンプレート定規に該一の線に対応する窓孔と該他の線に対応する窓孔とを有する場合には、位置合わせが困難になることである。
【０００９】
解決しようとする問題点の第３は、所定の図形のうちの着色すべき範囲は、図形を描画するために開穿された窓孔とは必ずしも一致しないことである。
【００１０】
解決しようとする問題点の第４は、描画すべき所定の図形が複雑になるほど、一組のテンプレート定規の枚数が多くなり、描画すべき線、着色すべき色やペンの種類も複雑になることである。
【００１１】
解決しようとする問題点の第５は、一組のテンプレート定規の枚数が複数枚に亘ると、テンプレート定規各枚の位置を、描画面に対して揃えることが必要となることである。
【課題を解決するための手段】
【００１２】
本発明は、所定の図形を描画するための２枚以上で一組のテンプレート定規であって、該所定の図形を１つのテンプレート定規で描いた場合に、開穿される窓孔のうちの窓枠における180度より大きく360度より小さい角部分をなす窓枠の部分が、該一組のテンプレート定規の該各枚の窓孔のうちの窓枠における0度より大きく180度より小さい角部分をなす窓枠の部分により構成されていることにより、該各枚に分担されていることを特徴の第１とする。
【００１３】
本発明は、該所定の図形の一の線が、環状に閉じた他の線の内側に描画される場合に、該一の線と該他の線とを描画するための該テンプレート定規が、該各枚に分担されていることを特徴の第２とする。
【００１４】
本発明は、該所定の図形のうちの着色すべき範囲に対応する範囲に開穿された窓孔を有することを特徴の第３とする。
【００１５】
本発明は、該所定の図形の描画すべき線、着色すべき色若しくはペンの種類がプリントされ、又は該各枚の使用順がプリントされたことを特徴の第４とする。
【００１６】
本発明は、該テンプレート定規とともに用いるガイドであって、該テンプレート定規の該各枚の位置を、該所定の図形を描画すべき描画面に対して、所定の位置に固定すべく、該テンプレート定規の隅の形状に沿う形状からなることを特徴の第５とする。
【発明の効果】
【００１７】
本発明のテンプレート定規は、該特徴の第１を有するため、テンプレート定規の図形が開穿された窓孔のうちの180度より大きく360度より小さい角を構成する部分にはペン先が当たらないため、はみ出してしまうという問題が解消されるという利点がある。
【００１８】
本発明のテンプレート定規は、該特徴の第２を有するため、二重丸のように、描くべき所定の図形の一の線が、環状に閉じた他の線の内側に描画する図形を、容易に描くことができるという利点がある。
【００１９】
本発明のテンプレート定規は、該特徴の第３を有するため、該所定の図形のうちの着色すべき範囲に対応する範囲に開穿された窓孔の内側に着色することができ、はみ出しや塗り間違いをすることなく、着色することができるという利点がある。
【００２０】
本発明のテンプレート定規は、該特徴の第４を有するため、描画すべき線、着色すべき色やペンの種類、及び該各枚の使用順を間違えることを防止することができるという利点がある。
【００２１】
本発明のテンプレート定規とともに用いるガイドは、該特徴の第５を有するため、該テンプレート定規各枚の位置を、描画面に対して揃えることができるという利点がある。
【図面の簡単な説明】
【００２２】
【図１】本発明の実施例１の『Ｗ』の図形を描画するための２枚で一組のテンプレート定規の正面図
【図２】本発明の実施例１の描画された『Ｗ』の図形
【図３】本発明の実施例２の『女の子』の図形を描画するための４枚で一組のテンプレート定規のうちの１枚目の正面図
【図４】本発明の実施例２の『女の子』の図形を描画するための４枚で一組のテンプレート定規のうちの２枚目の正面図
【図５】本発明の実施例２の『女の子』の図形を描画するための４枚で一組のテンプレート定規のうちの３枚目の正面図
【図６】本発明の実施例２の『女の子』の図形を描画するための４枚で一組のテンプレート定規のうちの着色用のテンプレート定規の正面図
【図７】本発明の実施例２のテンプレート定規とともに用いるガイドの正面図
【図８】本発明の実施例２の描画された『女の子』の図形
【発明を実施するための形態】
【００２３】
所定の図形の180度より大きく360度より小さい角部分を構成する各線を描画するための該テンプレート定規が、複数枚に分担されていることにより、該テンプレート定規の図形が開穿された窓孔のうちの窓枠の描画すべき部分に180度より大きく360度より小さい角を構成する部分が生じないようにすることができる機能を実現した。
請求項１に記載の「窓孔」とは「窓の孔」を意味し、「窓枠」とは「窓の枠」を意味する。すなわち、「窓孔」とはテンプレート定規の孔の外周部乃至中央部を意味し、「窓枠」とはその「孔」の「枠」の部分（孔の外周部を構成する部分）を意味する。
請求項１の「180度より大きく360度より小さい角部分をなす窓枠の部分」と「0度より大きく180度より小さい角部分をなす窓枠の部分」とは、その窓枠により描画されるべき線に基づくものであり、例えば、「180度より大きく360度より小さい角部分をなす窓枠の部分」と「0度より大きく180度より小さい角部分をなす窓枠の部分」とがいずれも該窓枠の右側にペンを当てて描く場合のみならず、「180度より大きく360度より小さい角部分をなす窓枠の部分」を該窓枠の左側にペンを当てて描く場合で、「0度より大きく180度より小さい角部分をなす窓枠の部分」を該窓枠の右側にペンを当てて描く場合のように、描画されるべき線の左右に平行となる場合も含む。
【実施例１】
【００２４】
図１から図２は、本発明の請求項１及び請求項４の実施例である。図１は、本発明の実施例１の『Ｗ』の図形を描画するための２枚で一組のテンプレート定規の正面図である。図２は、本発明の実施例１の描画された『Ｗ』の図形である。
【００２５】
本発明の実施例１の図１の『Ｗ』の図形を描画するための２枚で一組のテンプレート定規は、『Ｗ』の図形を１つのテンプレート定規で描いた場合に、開穿される窓孔のうちの窓枠における180度より大きく360度より小さい角部分をなす窓枠の部分が、該一組のテンプレート定規の該各枚の窓孔のうちの窓枠における0度より大きく180度より小さい角部分をなす窓枠の部分により構成されていることにより、テンプレート定規１０１、テンプレート定規１０２の、各枚に分担されている。
【００２６】
図１のテンプレート定規１０１、テンプレート定規１０２の描画すべき窓枠の部分には、描画指示線１０３がプリントされている。
【００２７】
テンプレート定規１０１、テンプレート定規１０２の描画指示線１０３に沿ってペンを入れることを各枚について行うことにより、図２の『Ｗ』の図形を描画することができる。『Ｗ』の図形のテンプレート定規１０１、テンプレート定規１０２の窓孔１０４が各枚に分担され、描画すべき窓枠の部分に180度より大きく360度より小さい角を構成する部分が生じないようにしているため、窓孔の180度より大きく360度より小さい角部分で窓枠にペン先が当たらず、はみ出してしまうという問題が解消される。
【実施例２】
【００２８】
図３から図８は、本発明の請求項１から請求項５の実施例である。図３は、本発明の実施例２の『女の子』の図形を描画するための４枚で一組のテンプレート定規のうちの１枚目の正面図である。図４は、本発明の実施例２の『女の子』の図形を描画するための４枚で一組のテンプレート定規のうちの２枚目の正面図である。図５は、本発明の実施例２の『女の子』の図形を描画するための４枚で一組のテンプレート定規のうちの３枚目の正面図である。図６は、本発明の実施例２の『女の子』の図形を描画するための４枚で一組のテンプレート定規のうちの着色用のテンプレート定規の正面図である。図７は、本発明の実施例２のテンプレート定規とともに用いるガイドの正面図である。図８は、本発明の実施例２の描画された『女の子』の図形である。
【００２９】
本発明の実施例２の図３から図６の『女の子』の図形を描画するための４枚で一組のテンプレート定規２０１、テンプレート定規２０２、テンプレート定規２０３、テンプレート定規２０４は、『女の子』の図形の各線を描画するための窓孔が、図３のテンプレート定規２０１、図４のテンプレート定規２０２、図５のテンプレート定規２０３の各枚の窓孔２０７に分担されており、また、『女の子』の図形の着色するための窓孔が、着色すべき範囲に対応する範囲に開穿された、図６のテンプレート定規２０４の窓孔２０７に分担されている。
【００３０】
図３のテンプレート定規２０１、図４のテンプレート定規２０２、図５のテンプレート定規２０３の描画すべき窓枠の部分には、描画指示線２０５がプリントされている。
【００３１】
図６のテンプレート定規２０４には、着色指示２０６がプリントされている。
【００３２】
図７のガイド２０８又はガイド２０９を、メンディングテープ等の粘着力の弱いテープで紙などの描画面に固定し、テンプレート定規２０１、テンプレート定規２０２、テンプレート定規２０３、テンプレート定規２０４を、順番に差し替えて、ガイド２０８又はガイド２０９に沿わせて位置決めしながら、描画及び着色を施すことにより、図８の『女の子』の図形を容易に描くことができる。なお、ガイド２０８又はガイド２０９はどちらを使用しても構わない。
【００３３】
『女の子』の図形のテンプレート定規２０１、テンプレート定規２０２、テンプレート定規２０３の窓孔２０７が各枚に分担され、描画すべき窓枠の部分に180度より大きく360度より小さい角を構成する部分が生じないようにしているため、窓孔の180度より大きく360度より小さい角部分で窓枠にペン先が当たらず、はみ出してしまうという問題が解消される。
【００３４】
『女の子』の図形のうちの、目や口の図形の線と、顔の輪郭の図形の線と、髪の図形の線とが、『女の子』の図形のテンプレート定規２０１、テンプレート定規２０２、テンプレート定規２０３の各枚の窓孔２０７に分担されているため、このように所定の図形の一の線が、環状に閉じた他の線の内側に描画される場合であっても、容易に描くことができる。
【００３５】
着色用のテンプレート定規２０４を使って、はみ出しや塗り間違いをすることなく、着色することができる。なお、本実施例では、分かり易くするために、着色用のテンプレート定規を独立させたが、１枚のテンプレート定規に、線画部分と着色部分とを混在させて、その旨の指示をプリントしても良い。
【００３６】
以上が、請求項１から請求項５に記載のテンプレート定規及びそのガイドの主な構成である。
【産業上の利用可能性】
【００３７】
本発明のテンプレート定規は、文房具として、年賀状を描くための道具として、及び、漫画のイラスト等の複雑な絵を誰でも簡単に描くことができる玩具として、特に有用である。
【符号の説明】
【００３８】
１０１    テンプレート定規
１０２    テンプレート定規
１０３    描画指示線
１０４    窓孔
２０１    テンプレート定規
２０２    テンプレート定規
２０３    テンプレート定規
２０４    テンプレート定規
２０５    描画指示線
２０６    着色指示
２０７    窓孔
２０８    ガイド
２０９    ガイド
２１０    テンプレート定規を入れるガイドのフレーム内側の孔
【図１】
2020104511.tif 000003
【図２】
2020104511.tif 000004
【図３】
2020104511.tif 000005
【図４】
2020104511.tif 000006
【図５】
2020104511.tif 000007
【図６】
2020104511.tif 000008
【図７】
2020104511.tif 000009
【図８】
2020104511.tif 000010
【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
所定の図形を描画するための２枚以上で一組のテンプレート定規であって、
前記一組のテンプレート定規の各枚を順番に所定の位置に固定して、窓枠のうちの描画すべきことが示された所定の部分に沿って描画される前記所定の図形を、仮に前記一組のテンプレート定規を使用することなく１つのテンプレート定規で描いた場合に、開穿されると想定される窓孔のうちの窓枠における180度より大きく360度より小さい角部分をなす窓枠の部分が、前記一組のテンプレート定規の前記各枚の窓孔のうちの窓枠における0度より大きく180度より小さい角部分をなす前記描画すべき位置のみに示された描画指示線を有する窓枠の部分により構成されていることにより、前記各枚に分担されている、
ことを特徴とするテンプレート定規。
【請求項２】
前記所定の図形の一の線が、環状に閉じた他の線の内側に描画される場合に、前記一の線と前記他の線とを描画するための前記テンプレート定規が、前記各枚に分担されている、
ことを特徴とする請求項１に記載のテンプレート定規。
【請求項３】
前記所定の図形のうちの着色すべき範囲に対応する範囲に開穿された窓孔を有する、
ことを特徴とする請求項１又２に記載のテンプレート定規。
【請求項４】
前記所定の図形の描画すべき線、着色すべき色若しくはペンの種類がプリントされ、又は前記各枚の使用順がプリントされた、
ことを特徴とする請求項１〜３のいずれかに記載のテンプレート定規。
【請求項５】
請求項１〜４のいずれかに記載のテンプレート定規及びこれとともに用いるガイドからなるセットであって、
前記テンプレート定規の前記各枚の位置を、前記所定の図形を描画すべき描画面に対して、所定の位置に固定すべく、
前記テンプレート定規の隅の形状に沿う形状からなることを特徴とする、テンプレート定規及びこれとともに用いるガイドからなるセット。
【手続補正２】
【補正対象書類名】明細書
【補正対象項目名】全文
【補正方法】変更
【補正の内容】
【発明の詳細な説明】
【技術分野】
【０００１】
本発明は、所定の図形を描くことができるテンプレート定規に関するものである。
【背景技術】
【０００２】
円や三角形などの所定の図形を描くための文房具としてテンプレート定規が用いられている。
【０００３】
先行技術に、平面板に各種の絵を打ち抜き、筆記具に良い写筆できるようにするとともに、絵の紹介文字を記入した絵型定規があるが（特許文献１参照）、所定の図形を描画するための２枚以上のテンプレート定規については記載も示唆もされていない。
【０００４】
先行技術に、動的なものの形態を特徴づける部分の形状を模した複数の板状部材と、これら板状部材をその形状が特定する位置にベンダブルな線状部材を介して連結してなる絵描き定規があるが（特許文献２参照）、所定の図形の180度より大きく360度より小さい角部分を構成する各線を描画するためのテンプレート定規が、複数枚に分担されていることについては記載も示唆もされていない。
【０００５】
先行技術に、種々な形状の図引き窓孔を複数個開穿した複数枚の定規盤と、その定規盤の図引き窓孔組合わせて描くための絵を表した教則盤とからなり、前記定規盤にはそれを識別するための親記号を表示するとともに前記図引き窓孔の近傍に他の窓孔と識別するための子記号を表示し、また、前記教則盤の絵の各部に、それに対応する図引き窓孔を示すための、前記親記号と子記号との結合記号を表示したことを特徴とする描画セットがあるが（特許文献３参照）、所定の図形の180度より大きく360度より小さい角部分を構成する各線を描画するためのテンプレート定規が、複数枚に分担されていることについては記載も示唆もされていない。
【先行技術文献】
【特許文献】
【０００６】
【特許文献１】実開昭４７−０２０３３９号公報
【特許文献２】実開昭５６−０６９７６１号公報
【特許文献３】実開昭４８−１０１７６５号公報
【発明の概要】
【発明が解決しようとする課題】
【０００７】
解決しようとする問題点の第１は、テンプレート定規の図形が開穿された窓孔のうちの180度より大きく360度より小さい角を構成する部分にはペン先が当たらないため、はみ出してしまうことである。
【０００８】
解決しようとする問題点の第２は、二重丸のように、描くべき所定の図形の一の線が、環状に閉じた他の線の内側に描画される場合において、１枚のテンプレート定規に該一の線に対応する窓孔と該他の線に対応する窓孔とを有する場合には、位置合わせが困難になることである。
【０００９】
解決しようとする問題点の第３は、所定の図形のうちの着色すべき範囲は、図形を描画するために開穿された窓孔とは必ずしも一致しないことである。
【００１０】
解決しようとする問題点の第４は、描画すべき所定の図形が複雑になるほど、一組のテンプレート定規の枚数が多くなり、描画すべき線、着色すべき色やペンの種類も複雑になることである。
【００１１】
解決しようとする問題点の第５は、一組のテンプレート定規の枚数が複数枚に亘ると、テンプレート定規各枚の位置を、描画面に対して揃えることが必要となることである。
【課題を解決するための手段】
【００１２】
本発明は、所定の図形を描画するための２枚以上で一組のテンプレート定規であって、該一組のテンプレート定規の各枚を順番に所定の位置に固定して、窓枠のうちの描画すべきことが示された所定の部分に沿って描画される該所定の図形を、仮に該一組のテンプレート定規を使用することなく１つのテンプレート定規で描いた場合に、開穿されると想定される窓孔のうちの窓枠における180度より大きく360度より小さい角部分をなす窓枠の部分が、該一組のテンプレート定規の該各枚の窓孔のうちの窓枠における0度より大きく180度より小さい角部分をなす該描画すべき位置のみに示された描画指示線を有する窓枠の部分により構成されていることにより、該各枚に分担されていることを特徴の第１とする。
【００１３】
本発明は、該所定の図形の一の線が、環状に閉じた他の線の内側に描画される場合に、該一の線と該他の線とを描画するための該テンプレート定規が、該各枚に分担されていることを特徴の第２とする。
【００１４】
本発明は、該所定の図形のうちの着色すべき範囲に対応する範囲に開穿された窓孔を有することを特徴の第３とする。
【００１５】
本発明は、該所定の図形の描画すべき線、着色すべき色若しくはペンの種類がプリントされ、又は該各枚の使用順がプリントされたことを特徴の第４とする。
【００１６】
本発明は、該テンプレート定規とともに用いるガイドであって、該テンプレート定規の該各枚の位置を、該所定の図形を描画すべき描画面に対して、所定の位置に固定すべく、該テンプレート定規の隅の形状に沿う形状からなることを特徴の第５とする。
【発明の効果】
【００１７】
本発明のテンプレート定規は、該特徴の第１を有するため、テンプレート定規の図形が開穿された窓孔のうちの180度より大きく360度より小さい角を構成する部分にはペン先が当たらないため、はみ出してしまうという問題が解消されるという利点がある。
【００１８】
本発明のテンプレート定規は、該特徴の第２を有するため、二重丸のように、描くべき所定の図形の一の線が、環状に閉じた他の線の内側に描画する図形を、容易に描くことができるという利点がある。
【００１９】
本発明のテンプレート定規は、該特徴の第３を有するため、該所定の図形のうちの着色すべき範囲に対応する範囲に開穿された窓孔の内側に着色することができ、はみ出しや塗り間違いをすることなく、着色することができるという利点がある。
【００２０】
本発明のテンプレート定規は、該特徴の第４を有するため、描画すべき線、着色すべき色やペンの種類、及び該各枚の使用順を間違えることを防止することができるという利点がある。
【００２１】
本発明のテンプレート定規とともに用いるガイドは、該特徴の第５を有するため、該テンプレート定規各枚の位置を、描画面に対して揃えることができるという利点がある。
【図面の簡単な説明】
【００２２】
【図１】本発明の実施例１の『Ｗ』の図形を描画するための２枚で一組のテンプレート定規の正面図
【図２】本発明の実施例１の描画された『Ｗ』の図形
【図３】本発明の実施例２の『女の子』の図形を描画するための４枚で一組のテンプレート定規のうちの１枚目の正面図
【図４】本発明の実施例２の『女の子』の図形を描画するための４枚で一組のテンプレート定規のうちの２枚目の正面図
【図５】本発明の実施例２の『女の子』の図形を描画するための４枚で一組のテンプレート定規のうちの３枚目の正面図
【図６】本発明の実施例２の『女の子』の図形を描画するための４枚で一組のテンプレート定規のうちの着色用のテンプレート定規の正面図
【図７】本発明の実施例２のテンプレート定規とともに用いるガイドの正面図
【図８】本発明の実施例２の描画された『女の子』の図形
【発明を実施するための形態】
【００２３】
所定の図形の180度より大きく360度より小さい角部分を構成する各線を描画するための該テンプレート定規が、複数枚に分担されていることにより、該テンプレート定規の図形が開穿された窓孔のうちの窓枠の描画すべき部分に180度より大きく360度より小さい角を構成する部分が生じないようにすることができる機能を実現した。
請求項１に記載の「窓孔」とは「窓の孔」を意味し、「窓枠」とは「窓の枠」を意味する。すなわち、「窓孔」とはテンプレート定規の孔の外周部乃至中央部を意味し、「窓枠」とはその「孔」の「枠」の部分（孔の外周部を構成する部分）を意味する。
請求項１の「180度より大きく360度より小さい角部分をなす窓枠の部分」と「0度より大きく180度より小さい角部分をなす窓枠の部分」とは、その窓枠により描画されるべき線に基づくものであり、例えば、「180度より大きく360度より小さい角部分をなす窓枠の部分」と「0度より大きく180度より小さい角部分をなす窓枠の部分」とがいずれも該窓枠の右側にペンを当てて描く場合のみならず、「180度より大きく360度より小さい角部分をなす窓枠の部分」を該窓枠の左側にペンを当てて描く場合で、「0度より大きく180度より小さい角部分をなす窓枠の部分」を該窓枠の右側にペンを当てて描く場合のように、描画されるべき線の左右に平行となる場合も含む。
【実施例１】
【００２４】
図１から図２は、本発明の請求項１及び請求項４の実施例である。図１は、本発明の実施例１の『Ｗ』の図形を描画するための２枚で一組のテンプレート定規の正面図である。図２は、本発明の実施例１の描画された『Ｗ』の図形である。
【００２５】
本発明の実施例１の図１の『Ｗ』の図形を描画するための２枚で一組のテンプレート定規は、該一組のテンプレート定規の各枚を順番に所定の位置に固定して、窓枠のうちの描画すべきことが示された所定の部分に沿って描画される『Ｗ』の図形を、仮に該一組のテンプレート定規を使用することなく１つのテンプレート定規で描いた場合に、開穿されると想定される窓孔のうちの窓枠における180度より大きく360度より小さい角部分をなす窓枠の部分が、該一組のテンプレート定規の該各枚の窓孔のうちの窓枠における0度より大きく180度より小さい角部分をなす該描画すべき位置のみに示された描画指示線を有する窓枠の部分により構成されていることにより、テンプレート定規１０１、テンプレート定規１０２の、各枚に分担されている。
【００２６】
図１のテンプレート定規１０１、テンプレート定規１０２の描画すべき窓枠の部分には、描画指示線１０３がプリントされている。
【００２７】
本実施例において、該一組のテンプレート定規の各枚を順番に所定の位置に固定して、窓枠のうちの描画すべきことが示された所定の部分に沿って描画される『Ｗ』の図形を、仮に該一組のテンプレート定規を使用することなく１つのテンプレート定規で描いた場合に、開穿されると想定される窓孔は、図示しないが、テンプレート定規１０１に開穿されている窓孔と同一のものとなる。この想定される窓孔のうちの窓枠における180度より大きく360度より小さい角部分をなす窓枠の部分である、『Ｗ』の図形の3か所の谷の部分に当たる部分に対応する窓枠の部分にはペン先が当たらないため、はみ出してしまう。
テンプレート定規１０１、テンプレート定規１０２の描画指示線１０３に沿ってペンを入れることを各枚について行うことにより、図２の『Ｗ』の図形を描画することができる。『Ｗ』の図形のテンプレート定規１０１、テンプレート定規１０２の窓孔１０４が各枚に分担され、描画すべき窓枠の部分に180度より大きく360度より小さい角を構成する部分が生じないようにしているため、窓孔の180度より大きく360度より小さい角部分で窓枠にペン先が当たらず、はみ出してしまうという問題が解消される。
【実施例２】
【００２８】
図３から図８は、本発明の請求項１から請求項５の実施例である。図３は、本発明の実施例２の『女の子』の図形を描画するための４枚で一組のテンプレート定規のうちの１枚目の正面図である。図４は、本発明の実施例２の『女の子』の図形を描画するための４枚で一組のテンプレート定規のうちの２枚目の正面図である。図５は、本発明の実施例２の『女の子』の図形を描画するための４枚で一組のテンプレート定規のうちの３枚目の正面図である。図６は、本発明の実施例２の『女の子』の図形を描画するための４枚で一組のテンプレート定規のうちの着色用のテンプレート定規の正面図である。図７は、本発明の実施例２のテンプレート定規とともに用いるガイドの正面図である。図８は、本発明の実施例２の描画された『女の子』の図形である。
【００２９】
本発明の実施例２の図３から図６の『女の子』の図形を描画するための４枚で一組のテンプレート定規２０１、テンプレート定規２０２、テンプレート定規２０３、テンプレート定規２０４は、『女の子』の図形の各線を描画するための窓孔が、図３のテンプレート定規２０１、図４のテンプレート定規２０２、図５のテンプレート定規２０３の各枚の窓孔２０７に分担されており、また、『女の子』の図形の着色するための窓孔が、着色すべき範囲に対応する範囲に開穿された、図６のテンプレート定規２０４の窓孔２０７に分担されている。
【００３０】
図３のテンプレート定規２０１、図４のテンプレート定規２０２、図５のテンプレート定規２０３の描画すべき窓枠の部分には、描画指示線２０５がプリントされている。
【００３１】
図６のテンプレート定規２０４には、着色指示２０６がプリントされている。
【００３２】
図７のガイド２０８又はガイド２０９を、メンディングテープ等の粘着力の弱いテープで紙などの描画面に固定し、テンプレート定規２０１、テンプレート定規２０２、テンプレート定規２０３、テンプレート定規２０４を、順番に差し替えて、ガイド２０８又はガイド２０９に沿わせて位置決めしながら、描画及び着色を施すことにより、図８の『女の子』の図形を容易に描くことができる。なお、ガイド２０８又はガイド２０９はどちらを使用しても構わない。
【００３３】
本実施例において、該一組のテンプレート定規の各枚を順番に所定の位置に固定して、窓枠のうちの描画すべきことが示された所定の部分に沿って描画される『女の子』の図形のうちの髪の毛の輪郭部分を、仮に該一組のテンプレート定規を使用することなく１つのテンプレート定規で描いた場合に、開穿されると想定される窓孔は、図示しないが、テンプレート定規２０４に開穿されている髪の毛の着色用の窓孔と同一のものとなる。この想定される窓孔のうちの窓枠における180度より大きく360度より小さい角部分をなす窓枠の部分である、額の両端部分に当たる図形の2か所の髪の毛の輪郭部分に当たる部分に対応する窓枠の部分にはペン先が当たらないため、はみ出してしまう。
テンプレート定規２０１、テンプレート定規２０３の描画指示線２０５に沿ってペンを入れることを各枚について行うことにより、図８の『女の子』の図形をのうちの髪の毛の輪郭部分を描画することができる。『女の子』の図形のテンプレート定規２０１、テンプレート定規２０３の窓孔２０７が各枚に分担され、描画すべき窓枠の部分に180度より大きく360度より小さい角を構成する部分が生じないようにしているため、窓孔の180度より大きく360度より小さい角部分で窓枠にペン先が当たらず、はみ出してしまうという問題が解消される。
【００３４】
『女の子』の図形のうちの、目や口の図形の線と、顔の輪郭の図形の線と、髪の図形の線とが、『女の子』の図形のテンプレート定規２０１、テンプレート定規２０２、テンプレート定規２０３の各枚の窓孔２０７に分担されているため、このように所定の図形の一の線が、環状に閉じた他の線の内側に描画される場合であっても、容易に描くことができる。
【００３５】
着色用のテンプレート定規２０４を使って、はみ出しや塗り間違いをすることなく、着色することができる。なお、本実施例では、分かり易くするために、着色用のテンプレート定規を独立させたが、１枚のテンプレート定規に、線画部分と着色部分とを混在させて、その旨の指示をプリントしても良い。
【００３６】
以上が、請求項１から請求項５に記載のテンプレート定規及びそのガイドの主な構成である。
【産業上の利用可能性】
【００３７】
本発明のテンプレート定規は、文房具として、年賀状を描くための道具として、及び、漫画のイラスト等の複雑な絵を誰でも簡単に描くことができる玩具として、特に有用である。
【符号の説明】
【００３８】
１０１    テンプレート定規
１０２    テンプレート定規
１０３    描画指示線
１０４    窓孔
２０１    テンプレート定規
２０２    テンプレート定規
２０３    テンプレート定規
２０４    テンプレート定規
２０５    描画指示線
２０６    着色指示
２０７    窓孔
２０８    ガイド
２０９    ガイド
２１０    テンプレート定規を入れるガイドのフレーム内側の孔